(57)【要約】【課題】  プロジェクタを載置するだけでプロジェクタを設置することが可能で、組立て性に優れ、コンパクトな形で便利に持ち運んだり保管したりすることのできる可搬型プロジェクタ設置台を提供する。【解決手段】  三角形のプロジェクタ設置面Ｓの３つの辺部を形成する３本の支持杆２と、プロジェクタ設置面Ｓの３つのコーナ部から延び出るロッド状の３本の脚体３とを有する。１本の脚体３の上端部に１本の支持杆２を連結することによって構成される３つの設置台分割ユニット１の組合せでなる。個々の設置台分割ユニット１の支持杆２の先端部に、他の設置台分割ユニット１の脚体３の上端部を遊嵌合可能及び抜出し可能な嵌合孔部１３を形成しているリング体１２が備わっている。【選択図】        図１
2006227055.tif 000002
【特許請求の範囲】
【請求項１】
三角形に組み立てられて三角形のプロジェクタ設置面の３つの辺部を形成する３本の支持杆と、上記プロジェクタ設置面の３つのコーナ部から延び出るロッド状の３本の伸縮可能な脚体とを有していると共に、１本の上記脚体の上端部に１本の上記支持杆を出幅調節自在に連結することによってその脚体の側方にその支持杆を突出させてなる３つの設置台分割ユニットの組合せによって構成され、
個々の設置台分割ユニットの支持杆の先端部に、他の１つの設置台分割ユニットの脚体の上端部を遊嵌合可能及び抜出し可能でかつ遊嵌合された当該脚体の上端部に係合してその係合箇所を支点とする脚体の揺動範囲を規制する機能を備えた嵌合孔部を形成するリング体が備わり、
個々の設置台分割ユニットの脚体に連結されている支持杆が、上記プロジェクタ設置面の１辺を形成する主部と他の設置台分割ユニットに具備されている上記リング体を支えるためのリング体受部とに区画されていて、上記支持杆のリング体受部に、そのリング体受部によって支えられたリング体を備える他の設置台分割ユニットの支持杆の主部の高さを、当該設置台分割ユニットの支持杆の主部の高さに見合う高さレベルに定め得る機能が具備されていることを特徴とする可搬型プロジェクタ設置台。
【請求項２】
三角形に組み立てられて三角形のプロジェクタ設置面の３つの辺部を形成する３本の支持杆と、上記プロジェクタ設置面の３つのコーナ部から延び出るロッド状の３本の脚体とを有していると共に、１本の上記脚体の上端部に１本の上記支持杆を連結することによってその脚体の側方にその支持杆を突出させてなる３つの設置台分割ユニットの組合せによって構成され、
個々の設置台分割ユニットの支持杆の先端部に、他の１つの設置台分割ユニットの脚体の上端部を遊嵌合可能及び抜出し可能でかつ遊嵌合された当該脚体の上端部に係合してその係合箇所を支点とする脚体の揺動範囲を規制する機能を備えた嵌合孔部が備わっていることを特徴とする可搬型プロジェクタ設置台。
【請求項３】
上記嵌合孔部が上記支持杆に設けられたリング体の孔部により形成されている請求項２に記載した可搬型プロジェクタ設置台。
【請求項４】
個々の設置台分割ユニットの脚体に連結されている支持杆が、上記プロジェクタ設置面の１辺を形成する主部と他の設置台分割ユニットに具備されている上記リング体を支えるためのリング体受部とに区画されている請求項３に記載した可搬型プロジェクタ設置台。
【請求項５】
上記支持杆のリング体受部に、そのリング体受部によって支えられたリング体を備える他の設置台分割ユニットの支持杆の主部の高さを、当該設置台分割ユニットの支持杆の主部の高さに見合う高さレベルに定め得る機能を具備させてある請求項４に記載した可搬型プロジェクタ設置台。
【請求項６】
上記設置台分割ユニットの脚体に支持杆が出幅調節自在に連結されている請求項２ないし請求項５のいずれか１項に記載した可搬型プロジェクタ設置台。
【発明の詳細な説明】
【技術分野】
【０００１】
本発明は、可搬型プロジェクタ設置台、詳しくは、コンパクトな形で持ち運んだり保管したりするための対策を講じた可搬型プロジェクタ設置台に関する。
【背景技術】
【０００２】
カメラなどの機器の設置台は一般的に知られ、汎用されていて、所謂三脚と通称されている。この三脚は、基体に３本の脚体の上端部が開閉可能に取り付けられ、かつ、その基体に取り付けられた昇降杆にカメラ用の雲台が取り付けられている（特許文献１参照）。また、測量機械用の三脚は脚頭にヒンジ金具を介して３本の脚部の上端部が開閉可能に取り付けられている（特許文献２参照）。他方、センターポールに開閉可能に連結した３本の脚を、そのセンターポールの３つの空洞にコンパクトに収納して持ち運びの便宜を図るようにすることも知られている（特許文献３参照）。さらに、３本脚を有する椅子の上記脚を開閉式とすることも知られている（特許文献４参照）。
【０００３】
ところで、近時ではプロジェクタを用いてＤＶＤなどに収録した画像をスクリーンに映して楽しんだり、講演会や会議などでプロジェクタを用いて画像をスクリーンに映し出してその進行を円滑に行うことがなどが普及してきている。そこで、プロジェクタについても上記した一般的なカメラ用の三脚を設置台として用いることがある。
【特許文献１】特開２００１−６５７８６号公報
【特許文献２】特開平５−８７５７２号公報
【特許文献３】実用新案登録第３０１０２６９号公報
【特許文献４】実用新案登録第３０９２９４３号公報
【発明の開示】
【発明が解決しようとする課題】
【０００４】
しかしながら、従来のカメラ用の三脚は、雲台のねじにカメラを取り付けるものであるので、この三脚をプロジェクタ設置台として用いると、プロジェクタを雲台のねじに取り付けるという煩わしい作業を余儀なくされるために面倒である。また、雲台のねじにプロジェクタを載置する置き台を取り付けることも考えられるが、そのようにすると、持ち運ぶ際に三脚と置き台との両方を持ち歩くことになるので持ち運びが不便になる。
【０００５】
本発明は以上の状況に鑑みてなされたものであり、上記した置き台を必要としないにもかかわらず、プロジェクタを載置するだけでプロジェクタを設置することが可能である上、コンパクトな形で便利に持ち運んだり保管したりすることができ、しかも、カメラ用の三脚に比べて大幅に安価に提供することのできる可搬型プロジェクタ設置台を提供することを目的とする。
【０００６】
また、本発明は、プロジェクタの大きさの相違に応じてプロジェクタ設置面の大きさを調節することのできる可搬型プロジェクタ設置台を提供することを目的とする。
【０００７】
さらに、本発明は、プロジェクタの姿勢を変更して画像の投写方向を容易に適切に調節することのできる可搬型プロジェクタ設置台を提供することを目的とする。
【課題を解決するための手段】
【０００８】
本発明に係る可搬型プロジェクタ設置台は、三角形に組み立てられて三角形のプロジェクタ設置面の３つの辺部を形成する３本の支持杆と、上記プロジェクタ設置面の３つのコーナ部から延び出るロッド状の３本の脚体とを有している。しかも、１本の上記脚体の上端部に１本の上記支持杆を連結することによってその脚体の側方にその支持杆を突出させてなる３つの設置台分割ユニットの組合せによって構成されている。そして、個々の設置台分割ユニットの支持杆の先端部に、他の１つの設置台分割ユニットの脚体の上端部を遊嵌合可能及び抜出し可能でかつ遊嵌合された当該脚体の上端部に係合してその係合箇所を支点とする脚体の揺動範囲を規制する機能を備えた嵌合孔部が備わっている。
【０００９】
この発明において、三角形のプロジェクタ設置面は、三角形に組み立てられた３本の支持杆によって囲まれる部分に想定した三角形の仮想面を意味している。したがって、そのようなプロジェクタ設置面に載置したプロジェクタは、実質的には三角形に組み立てられた３本の支持杆によって支えられる。
【００１０】
上記構成の可搬型プロジェクタ設置台において、３つの設置台分割ユニットのそれぞれを第１ユニット、第２ユニット及び第３ユニットと呼ぶことにすると、第１ユニットの嵌合孔部に第２ユニットの脚体の上端部を嵌合し、その第２ユニットの嵌合孔部に第３ユニットの脚体の上端部を嵌合し、その第３ユニットの嵌合孔部に第１ユニットの脚体の上端部を嵌合した状態で、それらの各ユニットの脚体を開いて床面に立てると、それぞれの各嵌合孔部がそれに嵌合している脚体の上端部に滑り落ちないように係合し、併せて、第１〜第３の３つのユニットが相互に支え合ってぐらつくことのない強固な構体を形成する。そして、嵌合孔部を備えている３本の支持杆が三角形に組み立てられて三角形のプロジェクタ設置面の３つの辺部を形成することになるので、そのプロジェクタ設置面にプロジェクタを載置するだけでプロジェクタを設置することが可能になる。また、三角形に組み立てられた３本の支持杆の傾き、言い換えると三角形のプロジェクタ設置面の傾きが、３つの嵌合孔部とそれらに嵌合している個々の脚体の上端部との係合箇所の高さによって定まるので、それぞれの係合箇所の高さを調節することによってプロジェクタ設置面の傾きを適切に定めるという操作を通じて、その上に載置したプロジェクタによる画像の投写方向を容易に調節することが可能になる。
【００１１】
また、この可搬型プロジェクタ設置台は、それぞれの嵌合孔部に個々の脚体の上端部を嵌合するだけで第１〜第３のユニットの組立てが完了し、それぞれの嵌合孔部から個々の脚体の上端部を抜き出すだけで第１〜第３のユニットが分離されるために、組立て分解を誰でもが短時間で容易に行うことができるだけでなく、分解した３つのユニットをコンパクトに束ねて便利に持ち運んだり小スペースで保管したりすることができるという長所を有する。
【００１２】
その上、冒頭で説明したカメラ用の三脚のように、雲台やねじ、脚を連結した基台といった複雑な機構部分を備えていないためにその構成が簡単でしかも軽量化が容易である上、ロッド状の脚体を形成するためのパイプ又はロッドと嵌合孔部を備えた支持杆とを連結することによって簡単に製作されるユニットを３つ用意するだけで済むので、その価格も上記三脚に比べてきわめて安価になるという利点を備えている。
【００１３】
本発明では、上記嵌合孔部が上記支持杆に設けられたリング体の孔部により形成されている、という構成を採用することが可能であり、これによれば、パイプ又はロッドの端部にリング体を結合するだけで支持杆を安価に製作することが可能になる。
【００１４】
本発明では、個々の設置台分割ユニットの脚体に連結されている支持杆が、上記プロジェクタ設置面の１辺を形成する主部と他の設置台分割ユニットに具備されている上記リング体を支えるためのリング体受部とに区画されていることが望ましい。これによれば、脚体に対する嵌合孔部の係合箇所が、リング体受部によって支えられたリング体の位置によって定まる。そのため、第１〜第３の３つのユニットを誰が組み立てた場合であっても、プロジェクタ設置面の高さや傾きが一様になってプロジェクタを設置しやすくなるという利点がある。
【００１５】
本発明では、上記支持杆のリング体受部に、そのリング体受部によって支えられたリング体を備える他の設置台分割ユニットの支持杆の主部の高さを、当該設置台分割ユニットの支持杆の主部の高さに見合う高さレベルに定め得る機能を具備させてあることが望ましい。これによれば、３本の支持杆の主部を同一の仮想平面上に位置させることが可能になるので、プロジェクタ設置面に設置することによってそれら３本の支持杆によって支えられたプロジェクタが安定する。
【００１６】
本発明では、上記設置台分割ユニットの脚体に支持杆が出幅調節自在に連結されている、という構成を採用することができる。これによれば、三角形のプロジェクタ設置面の各辺の長さやプロジェクタ設置面の広さを、プロジェクタの大きさなどに併せて調節することが可能になる。
【００１７】
本発明に係る可搬型プロジェクタ設置台は、三角形に組み立てられて三角形のプロジェクタ設置面の３つの辺部を形成する３本の支持杆と、上記プロジェクタ設置面の３つのコーナ部から延び出るロッド状の３本の伸縮可能な脚体とを有していると共に、１本の上記脚体の上端部に１本の上記支持杆を出幅調節自在に連結することによってその脚体の側方にその支持杆を突出させてなる３つの設置台分割ユニットの組合せによって構成され、個々の設置台分割ユニットの支持杆の先端部に、他の１つの設置台分割ユニットの脚体の上端部を遊嵌合可能及び抜出し可能でかつ遊嵌合された当該脚体の上端部に係合してその係合箇所を支点とする脚体の揺動範囲を規制する機能を備えた嵌合孔部を形成するリング体が備わり、個々の設置台分割ユニットの脚体に連結されている支持杆が、上記プロジェクタ設置面の１辺を形成する主部と他の設置台分割ユニットに具備されている上記リング体を支えるためのリング体受部とに区画されていて、上記支持杆のリング体受部に、そのリング体受部によって支えられたリング体を備える他の設置台分割ユニットの支持杆の主部の高さを、当該設置台分割ユニットの支持杆の主部の高さに見合う高さレベルに定め得る機能が具備されている、という構成を採用することも可能である。これによれば、既述した各作用に加え、３本の脚体の長さを調節してプロジェクタ設置面の高さや傾きを調節することが可能になる。
【発明の効果】
【００１８】
以上のように、本発明に係る可搬型プロジェクタ設置台は、３つの設置台分割ユニットを組み合わせて組み立てたりそれらを分離して分解したりすることのできる構成を備え、しかも、組立てや分解が、嵌合孔部に脚体の上端部を遊嵌合させたり嵌合孔部から脚体の上端部を抜き出したりするだけの作業を行うだけで済むので、その取扱いがきわめて容易であって、持ち運びや保管をコンパクトな形で行うことができるという卓越した効果が奏される。その上、その個々の設置台分割ユニットの構成が簡単でその製作も容易で量産性に富み、その上安価に提供することができるという効果も奏される。
【００１９】
また、プロジェクタの大きさの相違に応じてプロジェクタ設置面の大きさや高さ、傾きを調節可能に構成することも可能であるので、プロジェクタの設置高さや設置姿勢などを変更して画像の投写方向を容易に適切に調節することができるという利点も備えている。
【発明を実施するための最良の形態】
【００２０】
図１は本発明に係る可搬型プロジェクタ設置台Ａ（以下「設置台」という）の使用状態を示した概略斜視図、図２は設置台分割ユニット１の基本構成を示した側面図、図３は図１に示した設置台分割ユニット１の要部の一部破断側面図、図４は脚体３の伸縮機構を例示した部分断面図、図５は支持杆２の出幅調節機構を例示した側面図、図６は出幅調節機構を備える支持杆２の側面図である。
【００２１】
図１のように、この設置台Ａは、三角形の仮想されたプロジェクタ設置面Ｓの３つの辺部を形成する３本の支持杆２…と、プロジェクタ設置面の３つのコーナ部から延び出るロッド状の３本の脚体３…とを有している。また、この設置台Ａは、３つの設置台分割ユニット１を組み合わせて図１のように組み立てた状態で使用場所の床面に設置される。
【００２２】
図２のように、設置台分割ユニット１の基本構成は、１本の脚体３の上端部に１本の支持杆２を連結してその支持杆２を脚体３の側方に突出させただけのものであり、その支持杆２の先端部には、他の設置台分割ユニット１の脚体３の上端部が遊嵌合可能及び抜出し可能な嵌合孔部１３を形成しているリング体１２が備わっている。そして、支持杆２の突出方向が、脚体３を所定の傾斜姿勢に設置した場合に支持杆２が水平姿勢になるように定められている。ここで、リング体１２の嵌合孔部１３に脚体３の上端部を遊嵌合した状態では、その嵌合箇所を支点として脚体３がリング体１２によって規制される範囲内で揺動可能になる。
【００２３】
脚体３はまっすぐな中実ロッド又はパイプ材を所要長さに切断して端部処理を施すことによって容易かつ安価に製作され、支持杆２は中実ロッド又はパイプ材の先端に、中実ロッド又はパイプ材でなるリングを溶接やねじ止め、ビス止め、その他の適宜固定手段を介して接合することによって容易かつ安価に製作される。また、脚体３と支持杆２とは、溶接、ねじ止め、ビス止めなどの適宜手段によって連結される。
【００２４】
図１に示した３つの設置台分割ユニット１のそれぞれにあっては、図３に示したように、支持杆２が、図１で説明した三角形のプロジェクタ設置面Ｓの１辺を形成するまっすぐな主部２５と、この主部２５に対して下向きに傾斜して脚体１の上端部に連結されているリング体受部２６とに区画されていて、リング体受部２６は、図３に断面で示した他の設置台分割ユニット１に具備されているリング体１２を支える役割を持っている。そして、断面で示した他の設置台分割ユニット１のリング体１２を、実線で示した当該設置台分割ユニット１の脚体３の上端部に嵌合してそのリング体受部１２により支えさせることによって、他の設置台分割ユニット１の支持杆２の主部２５の高さを、当該設置台分割ユニット１の支持杆２の主部２５の高さに見合う高さレベルに定めて、なおかつ、両主部２５，２５を同一の仮想平面上に位置させることができるようになっている。
【００２５】
以下の説明を簡略にするために、図３で説明した設置台分割ユニット１の３つの組合せによって構成される設置台Ａの個々の設置台分割ユニット１をそれぞれ第１ユニット１Ａ、第２ユニット１Ｂ及び第３ユニット１Ｃと呼ぶことにして、第１、第２及び第３の３つのユニット１Ａ，１Ｂ，１Ｃを組み合わせて設置台Ａを組み立てる手順の一例を、図１又は図３を参照しつつ次に説明する。
【００２６】
第１ユニット１Ａの嵌合孔部１３に第２ユニット１Ｂの脚体３の上端部を嵌合し、その第２ユニット１Ｂの嵌合孔部１３に第３ユニット１Ｃの脚体３の上端部を嵌合し、その第３ユニット１Ｃの嵌合孔部１３に第１ユニット１Ａの脚体３の上端部を嵌合した状態で、それらの各ユニット１Ａ，１Ｂ，１Ｃの脚体３…を図１のように開いて床面に立てると、それぞれの各嵌合孔部１３…がそれに嵌合している個々の脚体３の上端部に係合し、しかも、それらの嵌合孔部１３…を形成しているリング体１２がその相手方に相当している支持杆２のリング体受部２６によって滑り落ちないように支えられ、併せて、第１、第２及び第３の３つのユニット１Ａ，１Ｂ，１Ｃが相互に支え合ってぐらつくことのない強固な骨組み構体を形成する。しかも、嵌合孔部１３を備えている３本の支持杆２…が三角形に組み立てられてそれらの各主部２４が同一の仮想平面上に位置するようになる。したがって、それら３本の支持杆２…の主部２５…によって囲まれた部分によって形成される仮想の三角形のプロジェクタ設置面Ｓに仮想線で示したプロジェクタＰを載置するだけでそのプロジェクタＰが安定して設置される。
【００２７】
以上の組立て手順についての説明では、脚体３の上端部に遊嵌合したリング体１２がその相手方に相当している支持杆２のリング体受部２６によって滑り落ちないように支えられる場合を説明したけれども、リング体１２がリング体受部２６によって支えられていない場合であっても、リング体１２の軸線に対してそのリング体１２が嵌合している脚体３が傾斜しているので、その脚体３がリング体１２の嵌合孔部１３の周方向反対側の２箇所で係合しているという構成によってリング体１２は脚体３に滑り落ちないように係止された状態が保たれる。したがって、必ずしもリング体受部２６によってリング体を支えさせる必要はないけれども、リング体受部２６によってリング体１２を支えさせるようにすると、３つの各ユニット１Ａ，１Ｂ，１Ｃの相互間でのリング体１２の高さが正確に定まってプロジェクタの設置安定性が高まるという利点が得られる。ただし、リング体受部２６によってリング体１２を支えさせずにそのリング体１２を脚体３に係合させるという組立てを行うと、三角形に組み立てられた３本の支持杆１２の主部２５の傾きが個々の脚体３の上端部との係合箇所の高さによって定まるので、それぞれの係合箇所の高さを調節してプロジェクタ設置面Ｓの傾きを適切に調節することができて、プロジェクタによる画像の投写方向を調節することができるという利点が得られることもある。
【００２８】
強固な骨組み構体に組み立てられている設置台Ａを持ち運んだり保管したりするときには、その設置台Ａを構成している第１、第２及び第３の３つのユニット１Ａ，１Ｂ，１Ｃを分解する。この分解作業は、嵌合孔部１３と脚体３の上端部とが互いに嵌合している３箇所で、それぞれの嵌合孔部１３から個々の脚体３の上端部を抜き出して、第１、第２及び第３の３つのユニット１Ａ，１Ｂ，１Ｃを分離するだけで済む。そして、分解した３つのユニット１Ａ，１Ｂ，１Ｃをコンパクトに束ねることによって、便利に持ち運んだり小スペースで保管したりすることができるようになる。
【００２９】
図４を参照して脚体３を伸縮可能とした事例を説明する。同図では、脚体３を１箇所又は２箇所以上の箇所で分割し、分割された一方の分割脚３１と他方の分割脚３２とをスライド自在に嵌合し、他方の分割脚３２の端部に割り溝３３を形成することによってその端部を拡縮可能にしてあると共に、一方の分割脚３１に嵌合保持させた締付けナット３４に締付け機能を具備させてある。そして、ナット３４を他方の分割脚３２のねじ部３５にねじ込んで締め付けると、その分割脚３２の端部が縮径して双方の分割脚３１，３２がスライド不能に結合される構成としてある。このように脚体３を伸縮可能に構成しておくと、３本の脚体３…の長さを調節してプロジェクタ設置面Ｓの高さや傾きを調節することが可能になる。
【００３０】
図５及び図６を参照して支持杆２を出幅調節自在とした事例を説明する。この事例では、脚体３の上端部に形成した孔部３６に、支持杆２のリング体受部２６に連設したスライド軸部３７を挿通させ、そのスライド軸部３７の複数箇所に形成した凹部３８のいずれかに、脚部３に形成したねじ孔にねじ込んだ押付け部材３９を押し付けることによって、脚体３からの支持杆２の出幅を調節するようにしてある。そして、脚体３からの支持杆２の出幅調節を可能にしておくと、個々のユニット１Ａ，１Ｂ，１Ｃの支持杆２の出幅を調節することによって三角形のプロジェクタ設置面Ｓ（図１参照）の形状を変えたり広さを変えたりすることによって、そのプロジェクタ設置面Ｓの形状や広さをプロジェクタＰの大きさに合わせることが可能になる。
【図面の簡単な説明】
【００３１】
【図１】本発明に係る可搬型プロジェクタ設置台の使用状態を示した概略斜視図である。
【図２】設置台分割ユニットの基本構成を示した側面図である。
【図３】図１に示した設置台分割ユニットの要部の一部破断側面図である。
【図４】脚体の伸縮機構を例示した部分断面図である。
【図５】支持杆の出幅調節機構を例示した側面図である。
【図６】出幅調節機構を備える支持杆２の側面図である。
【符号の説明】
【００３２】
１  設置台分割ユニット
１Ａ  第１ユニット（設置台分割ユニット）
１Ｂ  第２ユニット（設置台分割ユニット）
１Ｃ  第３ユニット（設置台分割ユニット）
２  支持杆
３  脚体
１２  リング体
１３  嵌合孔部
２５  支持杆の主部
Ｓ  プロジェクタ設置面
【図１】
2006227055.tif 000003
【図２】
2006227055.tif 000004
【図３】
2006227055.tif 000005
【図４】
2006227055.tif 000006
【図５】
2006227055.tif 000007
【図６】
2006227055.tif 000008